(57)【要約】      （修正有）【課題】フリップのロッキング及びアンロッキング回動の便宜性を増大させ、フリップに対するハンドリング作業性を向上させ、また、フリップに加えられる外力に十分に耐えるようにフリップに機械的な強度を付与して、フリップを破損され難くするハードディスクドライブを提供する。【解決手段】ハードディスクドライブは、印刷回路基板（ＰＣＢ）５０の一側に結合され、所定のフレキシブル印刷ケーブル（ＦＰＣ）４２の接続端子４３が結合される接続コネクタ６０と、接続コネクタに回動可能に結合されて、接続コネクタに対して接続端子をロッキング及びアンロッキングさせるフリップ６２と、フリップに形成されてフリップのハンドリング面積を増加させながら、フリップに対する強度を補強する面積増加用の強度補強部６２ａとを含む。【選択図】図２
2009170083.tif 000002
【特許請求の範囲】
【請求項１】
印刷回路基板の一側に結合され、所定のフレキシブル印刷ケーブルの接続端子が結合される接続コネクタと、
前記接続コネクタに回動可能に結合されて、前記接続コネクタに対して前記接続端子をロッキング及びアンロッキングさせるフリップと、
前記フリップに形成されて、前記フリップのハンドリング面積を増加させながら、前記フリップに対する強度を補強する面積増加用の強度補強部と、を備えたことを特徴とするハードディスクドライブ。
【請求項２】
前記面積増加用の強度補強部は、
前記フリップの露出端に形成されることを特徴とする請求項１に記載のハードディスクドライブ。
【請求項３】
前記面積増加用の強度補強部は、
単一材料によって前記フリップと一体に製作されて、一つの胴体を形成することを特徴とする請求項１に記載のハードディスクドライブ。
【請求項４】
前記フリップは、
幅に対して相対的に長い長方形であり、
前記面積増加用の強度補強部は、
前記フリップの両端部領域から中央領域に行くほど漸進的にその幅が増加するように設けられることを特徴とする請求項１に記載のハードディスクドライブ。
【請求項５】
前記面積増加用の強度補強部は、
アーク状を有することを特徴とする請求項４に記載のハードディスクドライブ。
【請求項６】
前記接続コネクタは、
一側に前記接続端子が挿入される端子挿入部が形成された多数のソケットと、
前記フリップと連結され、前記フリップの回動に連動して前記端子挿入部に挿入された前記接続端子を前記ソケットにロッキングさせるロッカをさらに含むことを特徴とする請求項１に記載のハードディスクドライブ。
【請求項７】
前記接続コネクタは、
前記印刷回路基板と前記多数のソケットとを相互電気的に連結させる多数のターミナルをさらに含むことを特徴とする請求項６に記載のハードディスクドライブ。
【請求項８】
前記多数のターミナルのそれぞれは、
前記印刷回路基板にソルダリング結合されることを特徴とする請求項７に記載のハードディスクドライブ。
【請求項９】
前記多数のソケットのそれぞれは、
前記ターミナルと電気的に連結される下部プレートと、
前記下部プレートから上方に所定距離離隔し、前記下部プレートと平行に配される上部プレートと、
前記下部及び上部プレートの間で前記下部及び上部プレートに対して垂直に形成されて、前記下部及び上部プレートの間の領域を二つの第１及び第２空間部に区画する隔壁プレートと、を含むことを特徴とする請求項７に記載のハードディスクドライブ。
【請求項１０】
前記印刷回路基板に隣接した前記第１空間部は、
前記ロッカ収容部であり、
第２空間部は、
前記端子挿入部であることを特徴とする請求項９に記載のハードディスクドライブ。
【請求項１１】
前記第１空間部に収容された前記ロッカは、
前記フリップが、前記上部プレートと平行に回動される時に共に回動されながら、前記上部プレートを傾くように弾性変形させ、前記端子挿入部に挿入された前記接続端子を前記下部及び上部プレートによってクランピングさせる回転カムであることを特徴とする請求項１０に記載のハードディスクドライブ。
【請求項１２】
前記接続コネクタは、
前記印刷回路基板と部分的に結合され、前記多数のソケットを外部で取り囲んで支持するソケットハウジングをさらに含むことを特徴とする請求項６に記載のハードディスクドライブ。
【請求項１３】
前記ソケットハウジングには、
前記フリップの両端部領域に設けられて、前記フリップを回転可能に支持する一対の回転支持ブラケットがさらに形成されていることを特徴とする請求項１２に記載のハードディスクドライブ。
【請求項１４】
前記印刷回路基板には、
前記接続コネクタに隣接した位置に前記フリップの回転動作を許容するスペーサがさらに形成されていることを特徴とする請求項１２に記載のハードディスクドライブ。
【請求項１５】
前記スペーサは、
前記印刷回路基板の一側を切り取った切り取り部によって形成されることを特徴とする請求項１４に記載のハードディスクドライブ。
【請求項１６】
前記切り取り部の外郭ラインは、
前記面積増加用の強度補強部の外郭ラインに対応する形状を有することを特徴とする請求項１５に記載のハードディスクドライブ。
【請求項１７】
前記ハードディスクドライブは、
１．８インチ以下の小型ハードディスクドライブであることを特徴とする請求項１に記載のハードディスクドライブ。
【請求項１８】
データをプロセッシングするプロセッシングユニットと、
印刷回路基板の一側に結合され、所定のフレキシブル印刷ケーブルの接続端子が結合される接続コネクタと、前記接続コネクタに回動可能に結合されて、前記接続コネクタに対して前記接続端子をロッキング及びアンロッキングさせるフリップと、前記フリップに形成されて、前記フリップのハンドリング面積を増加させながら、前記フリップに対する強度を補強する面積増加用の強度補強部を備えるハードディスクドライブと、を備えたことを特徴とする装置。
【請求項１９】
印刷回路基板の一側に結合され、所定のフレキシブル印刷ケーブルの接続端子が結合され、プロセッシングユニットと連結される接続コネクタと、
前記接続コネクタに回動可能に結合されて、前記接続コネクタに対して前記接続端子をロッキング及びアンロッキングさせるフリップと、
変更可能な長さ、幅及び厚さを有し、前記フリップに形成される部分と、を備えたことを特徴とするハードディスクドライブ。
【請求項２０】
データをプロセッシングするプロセッシングユニットと、
印刷回路基板の一側に結合され、所定のフレキシブル印刷ケーブルの接続端子が結合され、プロセッシングユニットと連結される接続コネクタと、前記接続コネクタに回動可能に結合されて、前記接続コネクタに対して前記接続端子をロッキング及びアンロッキングさせるフリップと、変更可能な長さ、幅及び厚さを有し、前記フリップに形成される部分を備えるハードディスクドライブと、を備えたことを特徴とする装置。
【発明の詳細な説明】
【技術分野】
【０００１】
本発明は、ハードディスクドライブに係り、より詳細には、フリップのロッキング及びアンロッキング回動の便宜性を増大させ、フリップに対するハンドリング作業性を向上させ、また、フリップに加えられる外力に十分に耐えるようにフリップに機械的な強度を付与して、フリップを破損され難くするハードディスクドライブに関する。
【背景技術】
【０００２】
ハードディスクドライブ（Ｈａｒｄ  Ｄｉｓｋ  Ｄｒｉｖｅ：以下、ＨＤＤという）は、読み取り／書き込みヘッド（Ｒｅａｄ／Ｗｒｉｔｅ  Ｈｅａｄ）を使ってディスクに／からデータを記録／再生する装置であって、大量のデータを高速でアクセスできるため、コンピュータシステムの補助記憶装置などとして現在広く使われている。
【０００３】
このようなＨＤＤが、各種電子製品に装着される時は、ディスク上のデータが伝達されるように電子製品内のメインボードから延びたフレキシブル印刷ケーブル（ＦＰＣ、Ｆｌｅｘｉｂｌｅ  Ｐｒｉｎｔｅｄ  Ｃａｂｌｅ）と相互連結される。
【０００４】
より具体的に説明すれば、フレキシブル印刷ケーブルの端部に備えられた接続端子がＨＤＤの印刷回路基板組立体（ＰＣＢＡ、Ｐｒｉｎｔｅｄ  Ｃｉｒｃｕｉｔ  Ｂｏａｒｄ  Ａｓｓｅｍｂｌｙ）の一側に備えられた接続コネクタに挿設されることでＨＤＤが電子製品に装着される。
【０００５】
このように、接続コネクタは、フレキシブル印刷ケーブルの接続端子に結合されて、ＨＤＤと電子製品のメインボードとを連結する場所を形成するために、接続コネクタの信頼性及び性能は重要な因子の一つであり得る。
何故ならば、接続コネクタのパフォーマンスが劣る場合、データが円滑にアクセスされず、結局、このような問題は、ＨＤＤの性能低下と直結されるためである。
【０００６】
接続コネクタのパフォーマンス向上のために、接続コネクタには、いわゆる、フリップと呼ばれる手動式あるいは機械式アクチュエータが設けられている。フリップは、通常、薄くて細い長方形の棒構造を有し、両端の回動軸を基点に所定角度だけ回動される構造を有する。
【０００７】
このようなフリップは、フレキシブル印刷ケーブルの接続端子を接続コネクタにロッキング及びアンロッキングさせる役割を果たす。すなわち、フリップが、接続コネクタの上面に対して交差されるように反っている状態で接続コネクタにフレキシブル印刷ケーブルの接続端子を挿入させ、引き続きフリップを接続コネクタの上面と平行な方向に回動させることで接続端子をロッキングさせうる。ここで、ロッキングという意味は、単純に接続端子を機械的に固定する役割外にもデータ伝送が可能になるように電気的に連結させる意味をいずれも内包する用語である。
【０００８】
一方、従前のＨＤＤは、２．５インチや３．５インチ級の相対的に中／大型のＨＤＤが一般的であった。
フリップのサイズは、普通ＨＤＤのサイズと比例するために、中／大型ＨＤＤに備えられるフリップは作業者が指で取って回動させるために、すなわち、ハンドリングするに十分なサイズを有した。勿論、中／大型ＨＤＤの接続端子コネクティング構造は、小型ＨＤＤのコネクティング構造と異なる場合もある。
【０００９】
このように、中／大型ＨＤＤに備えられるフリップは、十分なサイズとそれによる強度とを有していたために、これを手動で、あるいは機械的に回動させるのには、何らの困難もなく、また、フリップの動作中にもフリップの機械的な破損もほとんど発生しなかった。
【００１０】
しかし、最近開発されるＨＤＤは、高いＴＰＩ（Ｔｒａｃｋ  Ｐｅｒ  Ｉｎｃｈ、インチ当りトラック数）及び高いＢＰＩ（Ｂｉｔｓ  Ｐｅｒ  Ｉｎｃｈ、インチ当りビット数）の具現で高容量化されているだけではなく、そのサイズも小型化されながら、次第に適用領域も拡大されている。実際、最近では、直径０．８５インチのほぼコインサイズの小型ＨＤＤ（ＳＦＦ  ＨＤＤ、Ｓｍａｌｌ  Ｆｏｒｍ  Ｆａｃｔｏｒ  Ｈａｒｄ  Ｄｉｓｋ  Ｄｒｉｖｅ）が開発されて、今後の携帯電話などに使われる予定である。
【００１１】
このように、ＨＤＤのサイズが次第に小さくなるにつれて、ＨＤＤの印刷回路基板組立体に設けられた接続コネクタのサイズ及びそれに付属されたフリップのサイズも次第に小さくなっている。
【００１２】
実際に、１．８インチの小型ＨＤＤに備えられた接続コネクタのフリップ長と幅はほぼ１０〜２０ｍｍ、２ｍｍ以下であり、その厚さも数ｍｍ以下で非常に小さなことが分かる。このように小型ＨＤＤでは、フリップのサイズが小さくなるにつれて、フリップを手で直接ハンドリングすることが不便となるために、フリップの回動時に注意を要する。
【００１３】
ところが、このような小型ＨＤＤの場合、作業者がいくら注意を要すると言っても、フリップの絶対基準サイズが小さすぎてハンドリングするのが容易ではなく、その構造上、強度に脆弱であるために、フリップの回動のためにフリップに弱い力を加えてもフリップが容易に折れるか、破損される問題が発生する。
【００１４】
これは結局、ＨＤＤのサイズが小さくなるにつれて、ほぼ長方形を有するフリップの絶対的な厚さが減ってフリップに加えられる力に十分に耐えられなかったということであり、さらに、フリップ長に対して幅が相対的に狭いためである。
【００１５】
したがって、次第に小型化されるＨＤＤのサイズを考慮する時、フリップに対する絶対的なサイズを無限に増加させることはできないと言っても、フリップのロッキング及びアンロッキング回動の便宜性を増大させてフリップに対するハンドリング作業性を向上させ、またフリップに加えられる外力に十分に耐えるようにフリップに機械的な強度を付与して、フリップを破損され難くするフリップの構造改善が要求される。
【発明の概要】
【発明が解決しようとする課題】
【００１６】
本発明の目的は、フリップのロッキング及びアンロッキング回動の便宜性を増大させ、フリップに対するハンドリング作業性を向上させ、また、フリップに加えられる外力に十分に耐え得るようにフリップに機械的な強度を付与して、フリップを破損され難くするＨＤＤを提供することである。
【課題を解決するための手段】
【００１７】
前記目的は、本発明によって、印刷回路基板（ＰＣＢ、Ｐｒｉｎｔｅｄ  Ｃｉｒｃｕｉｔ  Ｂｏａｒｄ）の一側に結合され、所定のフレキシブル印刷ケーブル（ＦＰＣ、Ｆｌｅｘｉｂｌｅ  Ｐｒｉｎｔｅｄ  Ｃａｂｌｅ）の接続端子が結合される接続コネクタと、前記接続コネクタに回動可能に結合されて、前記接続コネクタに対して前記接続端子をロッキング及びアンロッキングさせるフリップと、前記フリップに形成されて、前記フリップのハンドリング面積を増加させながら、前記フリップに対する強度を補強する面積増加用の強度補強部と、を備えたことを特徴とするＨＤＤによって達成される。
【００１８】
ここで、前記面積増加用の強度補強部は、前記フリップの露出端に形成される。
前記面積増加用の強度補強部は、単一材料によって前記フリップと一体に製作されて、一つの胴体を形成することができる。
【００１９】
前記フリップは、幅に対して相対的に長い長方形を有することができ、前記面積増加用の強度補強部は、前記フリップの両端部領域から中央領域に行くほど漸進的にその幅が増加するように設けられうる。
前記面積増加用の強度補強部は、アーク状を有しうる。
前記接続コネクタは、一側に前記接続端子が挿入される端子挿入部が形成された多数のソケットと、前記フリップと連結され、前記フリップの回動に連動して前記端子挿入部に挿入された前記接続端子を前記ソケットにロッキングさせるロッカと、をさらに含みうる。
【００２０】
前記接続コネクタは、前記印刷回路基板と前記多数のソケットとを相互電気的に連結させる多数のターミナルをさらに含みうる。
前記多数のターミナルのそれぞれは、前記印刷回路基板にソルダリング結合されうる。
前記多数のソケットのそれぞれは、前記ターミナルと電気的に連結される下部プレートと、前記下部プレートから上方に所定距離離隔し、前記下部プレートと平行に配される上部プレートと、前記下部及び上部プレートの間で前記下部及び上部プレートに対して垂直に形成されて、前記下部及び上部プレートの間の領域を二つの第１及び第２空間部に区画する隔壁プレートと、を含みうる。
【００２１】
前記印刷回路基板に隣接した前記第１空間部は、前記ロッカ収容部であり、第２空間部は、前記端子挿入部であり得る。
前記第１空間部に収容された前記ロッカは、前記フリップが、前記上部プレートと平行に回動される時に共に回動されながら、前記上部プレートを傾くように弾性変形させ、前記端子挿入部に挿入された前記接続端子を前記下部及び上部プレートによってクランピングさせる回転カムであり得る。
【００２２】
前記接続コネクタは、前記印刷回路基板と部分的に結合され、前記多数のソケットを外部で取り囲んで支持するソケットハウジングをさらに含みうる。
前記ソケットハウジングには、前記フリップの両端部領域に設けられて、前記フリップを回転可能に支持する一対の回転支持ブラケットがさらに形成される。
【００２３】
前記印刷回路基板には、前記接続コネクタに隣接した位置に前記フリップの回転動作を許容するスペーサがさらに形成される。
前記スペーサは、前記印刷回路基板の一側を切り取った切り取り部によって形成される。
前記切り取り部の外郭ラインは、前記面積増加用の強度補強部の外郭ラインに対応する形状を有しうる。
前記ＨＤＤは、１．８インチ以下の小型ＨＤＤ（ＳＦＦ  ＨＤＤ）であり得る。
【００２４】
一方、前記目的は、データをプロセッシングするプロセッシングユニットと、印刷回路基板（ＰＣＢ）の一側に結合され、所定のフレキシブル印刷ケーブル（ＦＰＣ）の接続端子が結合される接続コネクタと、前記接続コネクタに回動可能に結合されて、前記接続コネクタに対して前記接続端子をロッキング及びアンロッキングさせるフリップと、前記フリップに形成されて、前記フリップのハンドリング面積を増加させながら、前記フリップに対する強度を補強する面積増加用の強度補強部を備えるＨＤＤと、を備えたことを特徴とする装置によっても達成される。
【００２５】
一方、前記目的は、印刷回路基板（ＰＣＢ）の一側に結合され、所定のフレキシブル印刷ケーブル（ＦＰＣ）の接続端子が結合され、プロセッシングユニットと連結される接続コネクタと、前記接続コネクタに回動可能に結合されて、前記接続コネクタに対して前記接続端子をロッキング及びアンロッキングさせるフリップと、変更可能な長さ、幅及び厚さを有し、前記フリップに形成される部分と、を備えたことを特徴とするＨＤＤによっても達成される。
【００２６】
一方、前記目的は、データをプロセッシングするプロセッシングユニットと、印刷回路基板（ＰＣＢ）の一側に結合され、所定のフレキシブル印刷ケーブル（ＦＰＣ）の接続端子が結合され、プロセッシングユニットと連結される接続コネクタと、前記接続コネクタに回動可能に結合されて、前記接続コネクタに対して前記接続端子をロッキング及びアンロッキングさせるフリップと、変更可能な長さ、幅及び厚さを有し、前記フリップに形成される部分を備えるＨＤＤと、を備えたことを特徴とする装置によっても達成される。
【発明の効果】
【００２７】
本発明によれば、フリップのロッキング及びアンロッキング回動の便宜性を増大させ、フリップに対するハンドリング作業性を向上させ、また、フリップに加えられる外力に十分に耐えるようにフリップに機械的な強度を付与して、フリップを破損され難くすることができる。
【図面の簡単な説明】
【００２８】
【図１】本発明の一実施形態によるＨＤＤの部分分解斜視図である。
【図２】図１に図示された接続コネクタ領域の要部拡大図である。
【図３】図２で接続コネクタとフレキシブル印刷ケーブルの接続端子とが分離された状態の斜視図である。
【図４】接続コネクタに対する接続端子のアンロッキング及びロッキング過程を概略的に図示した構造図である。
【図５】接続コネクタに対する接続端子のアンロッキング及びロッキング過程を概略的に図示した構造図である。
【図６】本発明の一実施形態によるＨＤＤで接続コネクタ領域の要部拡大図である。
【図７】本発明の一実施形態によるＨＤＤを備えた装置に対する構成図である。
【図８】本発明の一実施形態によるＨＤＤを備えた装置に対する構成図である。
【発明を実施するための形態】
【００２９】
本発明と本発明の動作上の利点及び本発明の実施によって達成される目的を十分に理解するためには、本発明の望ましい実施形態を例示する添付図面及び添付図面に記載の内容を参照しなければならない。
以下、添付図面を参照して、本発明の望ましい実施形態を説明することによって、本発明を詳しく説明する。各図面に付された同一参照符号は、同一部材を表わす。
【００３０】
図１は、本発明の一実施形態によるＨＤＤの分解斜視図である。
この図面に図示されたように、本発明の一実施形態によるＨＤＤ１０は、ベース２０と、ベース２０の上面に結合されるカバー３０と、ベース２０の下部に結合される印刷回路基板組立体４０（ＰＣＢＡ）とを備える。本実施形態のＨＤＤ１０は、メモリ装置と接続される装置のプロセッシングユニットと連結され、データを保存し、該保存されたデータを装置に出力するメモリ装置として使われる。
【００３１】
ベース２０には、情報の読み取り及び書き込みと関連した多数の内臓部品（図示せず）が装着されている。すなわち、ベース２０には、データを記録保存するための少なくても一つのディスク２２と、ディスク２２の中央領域に設けられてディスク２２を回転させるスピンドルモータ２３と、ディスク２２側に相対移動するヘッドスタックアセンブリ２４（ＨＳＡ、Ｈｅａｄ  Ｓｔａｃｋ  Ａｓｓｅｍｂｌｙ）などが装着されている。
【００３２】
このようなベース２０は、上面が平らな状態に製造されて内臓部品が乗せられつつ組み立てられる、いわゆる、フラット型と、内臓部品が収容されつつ組み立てられる、いわゆる、ボウル型とに分けられる。本実施形態の場合、ボウル型のベース２０を適用しているが、本発明の権利範囲が、これに制限されるものではないので、本発明は、フラット型からなったベース（図示せず）にも適用可能である。
【００３３】
本実施形態のＨＤＤ１０は、小型ＨＤＤ（ＳＦＦ  ＨＤＤ）なので、ディスク２２は、その直径が１．８インチのものが適用される。しかし、本発明の権利範囲が、これに制限されるものではないので、１．８インチ以下である１．３インチや０．８５インチのディスク（図示せず）を有する小型ＨＤＤ（ＳＦＦ  ＨＤＤ）にも本発明が適用可能である。
【００３４】
ヘッドスタックアセンブリ２４は、ディスク２２上のデータを記録するか、該記録されたデータを再生するための磁気ヘッド２５と、磁気ヘッド２５がディスク２２上のデータをアクセスできるように磁気ヘッド２５をフライングさせるアクチュエータ２６とを有する。
【００３５】
磁気ヘッド２５は、アクチュエータ２６から伸びて連結されたヘッドジンバル２９の先端に設けられて、複数のディスク２２の高速回転するによるディスク２２表面の気流によって上昇して、ディスク２２表面と微細な間隙を維持した状態で飛行する。
【００３６】
アクチュエータ２６は、ピボット軸２６ａを中心にディスク２２に対して回転可能に設けられている。すなわち、一側端に設けられたボイスコイルモータ２８（ＶＣＭ、Ｖｏｉｃｅ  Ｃｏｉｌ  Ｍｏｔｏｒ）の作動によって左右移動するにつれて、他側端に設けられた磁気ヘッド２５がディスク２２上を放射状に移動しながら、ディスク２２上のトラックに／からデータを書込み／読出しする。
【００３７】
図面には図示していないが、ボイスコイルモータ２８の下部領域には、磁気ヘッド２５がディスク２２のパーキング領域（Ｐａｒｋｉｎｇ  Ｚｏｎｅ、図示せず）にパーキングされた場合、アクチュエータ２６を弾性的に支持することで、アクチュエータ２６の任意移動を阻止するラッチが設けられている。もし図示とは異なって、別途のランプという据え置き物が設けられれば、磁気ヘッド２５はランプにパーキングされる。このような場合、ディスク２２にパーキング領域は除外される。
【００３８】
カバー３０は、ベース２０の上面を遮蔽して多数の内臓部品を保護する役割を果たす。このようなカバー３０は、金属材質で製作することができるが、特に、アルミニウム（Ａｌ）合金によるダイキャスティング加工によって製作されるか、スチール材質のプレス加工によって製作することができる。
【００３９】
印刷回路基板組立体４０は、ベース２０の下部に結合される。このような印刷回路基板組立体４０は、多数の回路部品が実装されている印刷回路基板５０（ＰＣＢ、Ｐｒｉｎｔｅｄ  Ｃｉｒｃｕｉｔ  Ｂｏａｒｄ）と、印刷回路基板５０の一側に結合される接続コネクタ６０とを備える。
【００４０】
印刷回路基板５０には、多数の回路部品として、このＨＤＤ１０の各種制御を担当するコントローラ５２が設けられている。そして、図示していないが、コントローラ５２の周辺には、各種データやテーブルなどを保存する多数のメモリ（Ｍ、Ｍｅｍｏｒｙ）と、一つまたは多数のターミナル８１、そして、回路部品とが設けられている。
【００４１】
図２は、図１に図示された接続コネクタ領域の要部拡大図であり、図３は、図２で接続コネクタとフレキシブル印刷ケーブルの接続端子とが分離された状態の斜視図であり、図４及び図５は、それぞれ接続コネクタに対する接続端子のアンロッキング及びロッキング過程を概略的に図示した構造図である。
【００４２】
これら図面に図示されたように、印刷回路基板５０の一側に結合された接続コネクタ６０は、電子製品内のメインボードに連結されたフレキシブル印刷ケーブル４２（ＦＰＣ）の接続端子４３が着脱可能に結合される。
このような接続コネクタ６０は、印刷回路基板５０とは別個に製作されることが普通であり、別個に製作された後には印刷回路基板５０の一側に結合される。
【００４３】
接続コネクタ６０には、フリップ６２が結合されている。詳細に後述するが、フリップ６２は、接続コネクタ６０の一側で回動されることができる構造を有する。このようなフリップ６２は、図２及び図５のように、接続コネクタ６０にフレキシブル印刷ケーブル４２の接続端子４３が挿入される時、印刷回路基板５０の板面方向、すなわち、図５のＡ方向に回動されて、接続コネクタ６０に挿入されたフレキシブル印刷ケーブル４２の接続端子４３をロッキングさせる役割を果たす。
【００４４】
それだけではなく、フリップ６２は、印刷回路基板５０に対して交差する方向、すなわち、図４のＢ方向に回動されて、フレキシブル印刷ケーブル４２の接続端子４３を接続コネクタ６０からアンロッキングさせる役割を果たす。
前述したように、ロッキングという意味は、単純にフレキシブル印刷ケーブル４２の接続端子４３を機械的に固定する役割外にも、フレキシブル印刷ケーブル４２及び接続コネクタ６０を通じてＨＤＤ１０と外部装置（ｅｘｔｅｒｎａｌ  ａｐｐａｒａｔｕｓ）との間のデータ送信が可能になるように電気的に連結させる意味をいずれも内包する用語と定義する。
【００４５】
このように、下記の構造的な特徴によってフリップ６２は、接続コネクタ６０に対してフレキシブル印刷ケーブル４２の接続端子４３をロッキング及びアンロッキングさせる役割を果たすが、このような役割を担当するフリップ６２は、普通幅Wに対して相対的に長さＬが長い直方形（ｒｅｃｔａｎｇｕｌａｒ）に製作される。フリップ６２の長さＬは、フレキシブル印刷ケーブル４２が接続コネクタ６０内に挿入される図２のＩ方向に交差される（ｐｅｒｐｅｎｄｉｃｕｌａｒ）方向の長さである。
【００４６】
フリップ６２が、長方形に形成されると言っても、事実上、その動作には無理がない。但し、前述したように、１．８インチあるいはそれ以下の小型ＨＤＤに備えられたフリップ６２の長さと幅はほぼ１０〜２０ｍｍ、２ｍｍ以下であり、その厚さも数ｍｍ以下で非常に小さいために、ロッキング及びアンロッキング回動の便宜性が減少するしかなく、ハンドリング作業性が落ち、またフリップ６２に加えられる小さな外力にもフリップ６２が簡単に破損される恐れがある。
【００４７】
これにより、本実施形態では、フリップ６２に対するハンドリング作業性を向上させながら、機械的な強度が優秀になるように面積増加用の強度補強部６２ａを設けている。面積増加用の強度補強部６２ａは、フリップ６２のハンドリング面積を増加させながら、フリップ６２に対する強度を補強する役割を果たす。
【００４８】
フリップ６２は、第１部分（ｆｉｒｓｔ  ｐｏｒｔｉｏｎ）６２ｂと第２部分（ｓｅｃｏｎｄ  ｐｏｒｔｉｏｎ）６２ａとを含みうる。第２部分６２ａは、面積増加用の強度補強部６２ａであって、第１部分６２ｂから拡張され、フリップ６２の長手方向に沿って変更可能な長さＬと幅Ｗとを有する。結局、フリップ６２は、長さＬと幅Ｗは、変更可能である。フリップ６２は、一定の厚さを有しうる。しかし、フリップ６２の回転またはピボット角度からの距離によってフリップ６２の厚さも変更可能である。第１部分６２ｂと第２部分６２ａのうち少なくとも何れか一つの長さＬ、幅Ｗ、そして、厚さは変更可能である。
【００４９】
このような面積増加用の強度補強部６２ａは、図２に詳細に図示されたように、フリップ６２の露出端に形成されている。言い換えれば、本実施形態では、面積増加用の強度補強部６２ａが単一材料によってフリップ６２と一体に製作されて、一つの胴体を形成するように構成している。
ここで、単一材料とは、プラスチックのような合成樹脂になり得るが、プラスチックの中でも強度に優れたものを使えば、さらに良い効果が得られる。
【００５０】
一方、図２を参照すると、フリップ６２に点線が表示されている。これは、面積増加用の強度補強部６２ａの位置を表示するための一つの図面表式方案であるだけで、実際の製品が図面のようになっているわけではない。
フリップ６２の端部領域に形成される面積増加用の強度補強部６２ａによって本実施形態のフリップ６２は、従来のフリップ（図示せず）より相対的にさらに大きい面積を形成できるためにハンドリング作業性が向上する。それだけではなく、従来のフリップ（図示せず）よりも強度が優秀になるために、ひんぱんな動作にも簡単に破損される恐れはない。
【００５１】
したがって、面積増加用の強度補強部６２ａは、フリップ６２の露出端領域であれば、如何なる所に、如何なる形状で具現してもよい。但し、従来のフリップ（図示せず）は、主に中央領域での構造的な脆弱点が発生して中央領域でひんぱんな破損が誘発されるので、本実施形態の面積増加用の強度補強部６２ａは、フリップ６２の両端部領域から中央領域に行くほど漸進的にその幅が増加するように設けられている。
【００５２】
結局、本実施形態の面積増加用の強度補強部６２ａは、ベンディングに最も脆弱な部分を補完するために中間部分の幅を大きくすることで、図示されたように、アーク状あるいはラウンド状を有するようになる。しかし、本発明の権利範囲が、必ずしもこのような形状に制限されない。
【００５３】
一方、本実施形態の場合には、従来とは異なって、アーク状の面積増加用の強度補強部６２ａがフリップ６２にさらに形成されているために、図３で図２の動作が許容されるためには、フリップ６２で増加した面積増加用の強度補強部６２ａだけの余裕空間がさらに必要であり、この余裕空間は印刷回路基板５０に形成されなければならない。
このために、印刷回路基板５０には、接続コネクタ６０に隣接した位置にフリップ６２の回転動作を許容するスペーサ５０ｂがさらに形成されている。
【００５４】
このようなスペーサ５０ｂは、前述した余裕空間を意味するが、本実施形態でスペーサ５０ｂは、印刷回路基板５０の一側を切り取った切り取り部５０ｂによって形成している。すなわち、接続コネクタ６０に隣接した位置の印刷回路基板５０を後方に一定長さほど切り取ってスペーサ５０ｂという余裕空間を形成することで、フリップ６２が図３で、図２のように動作する時に拘束されないようにする。
【００５５】
このような面積増加用の強度補強部６２ａが形成されたフリップ６２を適用することによって、フリップ６２のロッキング及びアンロッキング回動の便宜性を増大させ、フリップ６２に対するハンドリング作業性を向上させ、また、フリップ６２に加えられる外力に十分に耐えるようにフリップ６２に機械的な強度を付与して、フリップ６２の簡単な破損を阻止させうる。
【００５６】
次に、フリップ６２の回動時にフレキシブル印刷ケーブル４２の接続端子４３に対するロッキング及びアンロッキング動作がなされるように、フリップ６２と連携された接続コネクタ６０領域の構造について簡略に説明すれば、次の通りである。
【００５７】
接続コネクタ６０は、一側にフレキシブル印刷ケーブル４２の接続端子４３が挿入される端子挿入部７０ｂが形成された多数のソケット７０と、印刷回路基板５０と多数のソケット７０とを相互電気的に連結させる多数のターミナル８１と、フリップ６２と連結され、フリップ６２の回動に連動して端子挿入部７０ｂに挿入されたフレキシブル印刷ケーブル４２の接続端子４３をソケット７０にロッキングさせるロッカ８２と、印刷回路基板５０と部分的に結合され、多数のソケット７０を外部で取り囲んで支持するソケットハウジング８３とを備える。
【００５８】
ソケット７０について説明すれば、図４及び図５に図示されたように、ソケット７０は、ターミナル８１と電気的に連結される下部プレート７１と、下部プレート７１から上方に所定距離離隔し、下部プレート７１と平行に配される上部プレート７２と、下部及び上部プレート７１、７２の間で下部及び上部プレート７１、７２に対して垂直に形成されて、下部及び上部プレート７１、７２の間の領域を二つの第１及び第２空間部７０ａ、７０ｂに区画する隔壁プレート７３とを備える。
【００５９】
このように、ソケット７０が下部及び上部プレート７１、７２、そして、隔壁プレート７３で構成されることによってソケット７０は、ほぼ“H”字が横に配された構造を有するようになる。図４及び図５の図面には、便宜上、下部及び上部プレート７１、７２、そして、隔壁プレート７３が多少誇張されるように厚く図示されているが、実質的に、これらは非常に微細な厚さを有し、導電性金属薄板に製作される。したがって、容易に反れる弾性を保有する。
【００６０】
下部及び上部プレート７１、７２、そして、隔壁プレート７３によってソケット７０に形成される二つの第１及び第２空間部７０ａ、７０ｂのうち第１空間部７０ａは印刷回路基板５０に隣接されているが、第１空間部７０ａにはロッカ８２が収容される。そして、反対側の第２空間部７０ｂは、フレキシブル印刷ケーブル４２の接続端子４３が挿入される端子挿入部７０ｂとして活用される。
【００６１】
多数のターミナル８１のそれぞれは、印刷回路基板５０にソルダリング８１ａ結合される。図５を参照すれば、フレキシブル印刷ケーブル４２は、ソケット７０内に配される。フレキシブル印刷ケーブル４２の一つまたは多数のコンダクティブライン４２ａの一つまたは多数の端部４２ｂは、下部プレート７１のコンダクティブ回路７１ａに対応して接触される。そして、ソケット７０のコンダクティブ回路７１ａは、ターミナル８１とソルダリング部８１ａとを通じてＰＣＢ５０のコンダクティブラインに対応して電気的に接続される。
【００６２】
一方、本実施形態で、第１空間部７０ａに収容されたロッカ８２は、フリップ６２が上部プレート７２と平行になるように図５のＡ方向に回動される時に共に回動されながら、上部プレート７２を傾くように弾性変形させ、端子挿入部７０ｂに挿入されたフレキシブル印刷ケーブル４２の接続端子４３を下部及び上部プレート７１、７２によってクランピングさせる回転カム８２として適用されている。
【００６３】
ロッカ８２は、図４及び図５に図示されたように、ほぼ楕円状として長軸と短軸とが相異なり、回転軸に対して回転する回転体である。したがって、図５のように、フリップ６２の回転によってロッカ８２が回転軸に対して回転してロッカ８２の長軸が下部及び上部プレート７１、７２の間に上下方向に位置すれば、上部プレート７２の一側（第１空間部７０ａ側である）が上昇し、他側（第２空間部７０ｂ側である）は下降するように弾性変形されるが、このような動作に基づいて、フレキシブル印刷ケーブル４２の接続端子４３は、下部及び上部プレート７１、７２によってクランピングされながらロッキングされることができる。
【００６４】
図２及び図３を参照する時、ソケットハウジング８３には、フリップ６２の両端部領域に設けられて、フリップ６２を回転可能に支持する一対の回転支持ブラケット８４がさらに形成されている。フリップ６２は、このような一対の回転支持ブラケット８４がヒンジ（図示せず）結合されることで当該位置で回動可能となる。
このような構成を有するＨＤＤ１０の接続コネクタ６０に電子製品のメインボードに連結されたフレキシブル印刷ケーブル４２の接続端子４３を結合させる方法について説明すれば、次の通りである。
【００６５】
まず、図３及び図４のように、フレキシブル印刷ケーブル４２の接続端子４３が接続コネクタ６０に対して分離されている状態で、フレキシブル印刷ケーブル４２の接続端子４３を接続コネクタ６０の端子挿入部７０ｂに挿入させる。この状態で、フリップ６２は、図４のようにＢ方向に反っている。
【００６６】
その後、図５のＡ方向にフリップ６２を回動させる。すると、フリップ６２は、一対の回転支持ブラケット８４によって図５のＡ方向に回動されながら、ロッカ８２を回転させる。
すなわち、図５のＡ方向へのフリップ６２回転時、ロッカ８２の長軸は下部及び上部プレート７１、７２の間に上下方向に位置するが、この場合、上部プレート７２の一側が上昇し、他側は下降しながら弾性変形される。したがって、このような動作に基づいて、フレキシブル印刷ケーブル４２の接続端子４３は、下部及び上部プレート７１、７２によってクランピングされながら、ロッキングされることができる。
【００６７】
一方、このようなロッキング過程は、フリップ６２の回動に基づいてなされるが、本実施形態では、フリップ６２に面積増加用の強度補強部６２ａが設けられているので、フリップ６２のロッキング及びアンロッキング回動の便宜性が増大してフリップ６２に対するハンドルリング作業性が向上する。
それだけではなく、面積増加用の強度補強部６２ａによってフリップ６２に加えられる外力に十分に耐えるようにフリップ６２に機械的な強度が付与されることでフリップ６２が容易に破損される現象が減る。
【００６８】
図５によれば、フレキシブル印刷ケーブル４２がソケット７０内に配置される時、フレキシブル印刷ケーブル４２の一つまたは多数のコンダクティブライン４２ａの一つまたは多数の端部４２ｂは、下部プレート７１のコンダクティブ回路７１ａに対応して接触される。そして、ソケット７０のコンダクティブ回路７１ａは、ターミナル８１を通じてＰＣＢ５０のコンダクティブラインに対応して電気的に接続される。
【００６９】
図６は、本発明の他の実施形態によるＨＤＤで接続コネクタ領域の要部拡大図である。
前述した実施形態で、スペーサ５０ｂを成す切り取り部５０ｂ’の外郭ラインは直線形であった。しかし、図６に図示されたように、切り取り部５０ｂ’の外郭ラインは、面積増加用の強度補強部６２ａの外郭ラインに対応するアークあるいはラウンド状を有することもできる。
【００７０】
図７は、本発明の一実施形態によるＨＤＤを備えた装置７００に対する構成図である。本装置７００は、メインボディ７１０と、フレキシブル印刷ケーブル４２と連結されるメインボディ７１０に形成されたターミナル７１０ａと、メモリ装置の接続端子４３を備えるデータプロセッシング装置７００とを含みうる。図１ないし図６のＨＤＤ１０は、データを保存し、該保存されたデータを出力するメモリ装置として使われうる。このようなデータプロセッシング装置７００は、ＨＤＤ１０にデータを記録する装置、ＨＤＤ１０から受けたデータをプロセッシングする（処理する、ｐｒｏｃｅｓｓｉｎｇ）装置、ＨＤＤ１０のデータを記録し、ＨＤＤ１０からのデータを受けるコンピュータなどになり得る。
【００７１】
図８は、本発明の一実施形態によるＨＤＤを備えた装置８００に対する構成図である。本装置８００は、メインボディ８００ａと、これに加えてデータプロセッシング装置８１０と、メインボディ８００ａ内にインストールされ、フレキシブル印刷ケーブル４２を用いて相互連結されるＨＤＤ１０を含みうる。本装置８００は、ＨＤＤ内のデータを記録する装置、ＨＤＤからの受けたデータをプロセッシングする装置、ＨＤＤ内のイメージを受け、該受けたイメージを保存するカムコーダ、ＨＤＤ１０のデータを記録し、ＨＤＤ１０からのデータを受けるコンピュータなどになり得る。本装置は、一つまたは多数のターミナルまたはデータを送受信するために外部装置と伝達する通信ユニットをさらに含むこともできる。
【００７２】
このように本発明は、前記実施形態に限定されるものではなく、本発明の思想及び範囲を外れずに多様に修正及び変形できるということは、当業者に自明なものである。したがって、そのような修正例または変形例などは、本発明の特許請求の範囲に属すると言わなければならない。
【産業上の利用可能性】
【００７３】
本発明は、フリップのロッキング及びアンロッキング回動の便宜性を増大させ、フリップに対するハンドリング作業性を向上させ、また、フリップに加えられる外力に十分に耐えるようにフリップに機械的な強度を付与して、フリップを破損され難くするＨＤＤ関連の技術分野に適用可能である。
【符号の説明】
【００７４】
２０：ベース
３０：カバー
４０：印刷回路基板組立体
５０：印刷回路基板
６０：接続コネクタ
４２：フレキシブル印刷ケーブル（ＦＰＣ）
４３：接続端子
６２：フリップ
６２ａ：強度補強部
７０：ソケット
【図１】
2009170083.tif 000003
【図２】
2009170083.tif 000004
【図３】
2009170083.tif 000005
【図４】
2009170083.tif 000006
【図５】
2009170083.tif 000007
【図６】
2009170083.tif 000008
【図７】
2009170083.tif 000009
【図８】
2009170083.tif 000010